(57)【特許請求の範囲】
【請求項１】
カーテンレール（20）の端部に取り付けられて、前記カーテンレール内を長手方向に走行するランナー（21）の脱落を防止するキャップストップ（10）において、前記キャップストップに前記カーテンレールの下面に沿う下面部（14）を設け、前記下面部に前記カーテンレールの端面とは反対側にランナー保持部（15）と、それを開口させる入口部（18）とを設け、前記ランナー保持部の内径を前記カーテンレールの下面の下に位置する前記ランナーの胴部（24）の直径に等しいか、又はそれよりもわずかに大きく形成し、前記入口部の内幅を前記胴部の直径よりも小さくし、前記キャップストップ（10）は前記カーテンレール（20）の端部の前後面を被覆する前後面部（11、12）と、前記前後面部のカーテンレール端面側の側辺を連結して前記カーテンレールの端面を被覆する端面部（13）とを有し、前記前後面部及び前記端面部の底辺を連結する前記下面部（14）の前記ランナー保持部（15）と前記端面部の間において前記下面部から起立して前記カーテンレールの下面開口を貫通して、前記カーテンレールの上内面にいたる挿入部（16）を形成し、前記挿入部に止めねじ用孔（17）をあけたことを特徴とするカーテンレールのキャップストップ。
【発明の詳細な説明】
【０００１】
【発明の属する技術分野】
本発明はカーテンレールの端部に取り付けるキャップストップに関する。
【０００２】
【従来の技術】
カーテンを吊り下げたランナーがカーテンレールの端部から抜け出すことを防止するため、カーテンレールの両端部にそれぞれキャップストップを取り付ける。又、カーテンの一方の側の開閉を規制するため、カーテンの一方の最側端フックをキャップストップに掛け止めする。この一方の最側端フックをキャップストップに掛け止めしたカーテンは、他方の側からしか開閉することができなくなる。
【０００３】
カーテンの開閉側を変更するためには、一方の最側端フックを一方のキャップストップから外し、他方の最側端フックを他方のキャップストップに掛け止めしなければならない。このフックをキャップストップに掛けたり外したりすることはユーザーには必ずしも容易なことではなかった。又、カーテンの最側端にマグネット付きランナーを使用し、そのマグネットを吸着する吸着板をキャップストップに付設してカーテンの端部を保持することもなされているが、この方式は、次のような問題があた。マグネット付きランナーが必要なため、コストが高くなる。カーテンの端部がキャップストップから内方へずれるため、カーテンレールの端部に隙が生ずる。マグネット付きランナーは磁力が比較的小さいために外れやすく、キャップストップの吸着板は外観がよくない。
【０００４】
カーテンのフックも、マグネットランナーも使用しない方式として、カーテンを吊る最側端のランナーを把持する手段を、カーテンレールの内部に挿入されたキャップストップの挿入部に設け、カーテンを外側へ強く引くと最側端のランナーがキャップストップに把持され、内側へ強く引くと最側端のランナーがキャップストップの把持から解放されるようにしたものも提供されている。
【０００５】
【発明が解決しようとする課題】
このキャップストップのランナー把持手段は、カーテンレール内に挿入された部分に形成されたランナー保持部からなり、そのランナー保持部は上から見るとＵ字形で、先端入口の内幅はランナー頭部の直径より少し小さく、内部の内幅はランナー頭部の直径と略同一である。したがって、ランナーを外方へ強く引くとランナー頭部は先端入口を弾性的にのり越えてランナー保持部内に収まり、逆にランナー保持部内のナンナーを強く内方へ引くとランナー頭部は先端入口をのり越えてランナー保持部から脱出する。
【０００６】
しかし、このキャップストップはランナー保持部をカーテンレール内に挿入する部分に形成するため、カーテンレールの内幅に比べてカーテンレール内を走行するランナー頭部の外径が大きいと、ランナー保持部の先端入口は十分に開くことができない。このため、ランナー頭部がランナー保持部に出入りするときの抵抗が大きくなり、薄いカーテンの場合は、カーテンが引きちぎれるおそれがある。
【０００７】
又、このキャップストップはランナー保持部がカーテンレールの内部にあるため、ユーザーが指で直接ランナーをキャップストップにはめ込んだり引き出したりすることは難しかった。
本発明はこの問題を解決するためになされたものであり、その目的とするところは、カーテンの端部を少し強く外方又は内方に引くだけで、又、直接ランナーを指で押すだけで、ランナーがキャップストップのランナー保持部に把持され、又は把持から解放されるキャップストップを提供することにある。
【０００８】
【課題を解決するための手段】
前記目的を達成するため、本発明が採用する手段は、キャップストップにカーテンレールの下面に沿って延長する下面部を設け、その下面部にランナーのレール下面に沿う胴部を把持するランナー保持部を形成したことにある。キャップストップはカーテンレールの端部の前後面及び下面を被覆する形状とし、そのカーテンレール端部下面を被覆する下面部に下から見るとＵ字形のランナー保持部を形成することが望ましい。そのランナー保持部の内径をランナー胴部の直径に等しいか又はそれよりもわずかに大きく形成し、そのランナー保持部を開口させる先端入口部の内幅をランナー胴部の直径より少し小さくする。
【０００９】
キャップストップのランナー保持部はカーテンレールの下面外部にあるから、カーテンレールの内幅には関係なく、ランナーがキャップストップに脱着するときの抵抗を適当な大きさに設定することができる。又、ランナー保持部は露出するから、ユーザーが直接ランナーを押してキャップストップにはめ込むことも、外すことも可能である。
【００１０】
【発明の実施の形態】
図１に示す本発明のキャップストップ10に基づいて発明の実施の態様を説明する。
キャップストップ10は、全体として上面と左右面の一方が開口した箱体状の合成樹脂成形品である。キャップストップ10はカーテンレール端部の前後面を被覆する前後面部11、12と、前後面部の一方の側辺を連結してカーテンレールの端面を被覆する端面部13と、前後面部と端面部の下辺を連結してカーテンレールの下面を被覆する下面部14と、下面部14に形成されたランナー保持部15と、下面部14の端面側半部から起立してカーテンレールの下面スリットからカーテンレールの内部に入りカーテンレールと同じ高さまで延長する挿入部16と、挿入部にあけた止めねじ用孔17とを有する。下面部14に形成されたランナー保持部15は上から見るとＵ字形であり、端面部13とは反対側に入口部18を有する。ランナー保持部15の内径はランナーの胴部の外径と同一か又はそれよりもわずかに大きいが、入口部の内幅はランナー胴部の外径よりも少し小さい。しかし、入口部18は弾性的に開いてランナー胴部よりも内幅を大きくすることができる。
【００１１】
【実施例】
図２及び図３に示す実施例に基づいてキャップストップのランナーの把持とその解放について説明する。
カーテンレール20に必要数のランナー21をはめ、ついで、カーテンレール20の端部に図１のキャップストップ10を装着する。次に、止めねじ用孔17に止めねじ19を通して天井面にカーテンレール20を固定する。ランナー21はカーテンレール20の内部に位置する頭部22と、カーテンレール20の下面スリットを通る首部23と、カーテンレール20の下面に沿う胴部24と、カーテンのフックを掛けるリング部25とからなる。
【００１２】
図示していないが、カーテンの上縁の各フックをそれぞれのランナー21のリング部25に掛けてカーテンを吊り下げる。図は右側が開閉するカーテンを、左側が開閉するカーテンに変更する工程を示すものである。
始めに、実線で示す右側のランナー21を矢印Ａ方向にカーテンを引くか、又は指で直接右側のキャップストップ10内に入れる。ランナー21の胴部24の外径はランナー保持部15の入口部18の内幅よりも少し大きいが、入口部18の開口は弾性的に開き、鎖線で示すように、ランナーの胴部はランナー保持部15の内部に入る。ランナー保持部15の内部に胴部24が入ると入口部18は再び元に戻り、胴部24の外径よりも内幅が小さくなる。ランナー21は胴部24がランナー保持部15に拘束されるため、カーテンの右側は開閉不能となる。
【００１３】
次に、左側のカーテン側部を矢印Ｂ方向に少し強く引くか、又は左側のランナー21の胴部24を指で矢印Ｂ方向に押して、ランナー保持部15の入口部18を弾性的に開口させると、ランナー21はキャップストップ10から脱出し、鎖線で示すように、自由になる。その結果、カーテンの左側は開閉可能となる。このように、カーテンの側端部を少し強く引くだけで、又はランナーの胴部を指で押すだけで、容易にカーテンの片側を把持することも解放することも可能である。
【００１４】
【発明の効果】
上記のとおり、本発明のキャップストップは、従来のランナー頭部をカーテンレールの内部に設けたランナー保持部によって把持する方式のものとは異なり、ランナー胴部をカーテンレールの下に設けたランナー保持部によって把持する方式であるから、カーテンレールの内幅とランナーの外径には関係なく、キャップストップにランナーを脱着するときの抵抗は一様である。したがって、キャップストップにランナーを脱着するために、カーテンを引いてもカーテンを破損するおそれはなく、又、指で直接ランナーを操作してランナーをキャップストップに脱着させることもできるという優れた効果を奏する。
【図面の簡単な説明】
【図１】は本発明の一実施例のキャップストップの斜視図、
【図２】は図１のキャップストップを取り付けたカーテンレールの要部を示す断面図、
【図３】は図２のカーテンレールの底面図、
【符号の説明】
10：キャップストップ
11：前面部
12：後面部
13：端面部
14：下面部
15：ランナー保持部
16：挿入部
17：止めねじ用孔
18：入口部
20：カーテンレール
21：ランナー
22：頭部
23：首部
24：胴部
25：リング部
【図１】
0003649364.tif 000002
【図２】
0003649364.tif 000003
【図３】
0003649364.tif 000004